(57)【要約】【課題】点灯回路部品の発熱によるアマルガムの温度上昇を抑制できる蛍光ランプを提供することを目的とする。【解決手段】蛍光ランプ１は、発光管１３と、発光管１３から突出して配置され、発光管１３内に水銀蒸気を供給するアマルガム２０が収納された細管１９と、回路基板２１に実装された点灯回路部品２２と、点灯回路部品２２及び細管１９が収容されたカバー１６と、カバー１６内に配置され、点灯回路部品２２から発生する熱を遮断する包囲部１８とを備えている。そして、包囲部１８とカバー１６で囲われた空間に細管１９が収容されている。アマルガム２０が収納された細管１９は、点灯回路部品２２と異なる空間に配置されているので、包囲部１８によって点灯回路部品２２から発生する熱が遮断され、細管１９に収納されたアマルガム２０の温度上昇が抑えられる。【選択図】図１
2010103024.tif 000002
【特許請求の範囲】
【請求項１】
発光管と、
前記発光管から突出して配置され、前記発光管内に水銀蒸気を供給するアマルガムが収納された前記発光管よりも細い細管と、
回路基板に実装された点灯回路部品と、
前記点灯回路部品及び前記細管が収容され、口金が固定されたカバーと、
前記カバー内に配置され、前記点灯回路部品から発生する熱を遮断する包囲部と、を備え、
前記包囲部内に前記細管が配置されている、ことを特徴とする蛍光ランプ。
【請求項２】
前記包囲部と前記カバーとで囲われて形成された空間に前記細管が配置されていることを特徴とする請求項１に記載の蛍光ランプ。
【請求項３】
前記包囲部は前記カバーに密着していることを特徴とする請求項２に記載の蛍光ランプ。
【請求項４】
前記包囲部は断熱性材料から構成されることを特徴とする請求項１乃至３のいずれか１項に記載の蛍光ランプ。
【請求項５】
前記包囲部は前記口金近傍まで延在していることを特徴とする請求項１乃至３のいずれか１項に記載の蛍光ランプ。
【請求項６】
前記包囲部に挿通孔が設けられ、前記細管が前記挿通孔に挿入されていることを特徴とする請求項１乃至３のいずれか１項に記載の蛍光ランプ。
【発明の詳細な説明】
【技術分野】
【０００１】
本発明は、蛍光ランプに関する。
【背景技術】
【０００２】
近年、発光効率の低い白熱電球に代わって発光効率の良い発光管を用いた電球形の蛍光ランプが普及してきている。蛍光ランプの構造によれば、通電によって発光管に設置されているフィラメント或いは蛍光ランプ内に設置されている点灯回路部品が発熱する。この発熱により、発光管内に水銀蒸気を供給するアマルガムの温度が上昇すると、発光管内の水銀蒸気圧が高くなる。蛍光ランプは、発光管内の水銀蒸気圧により明るさが変動し、水銀蒸気圧が上昇し過ぎると明るさが低下するという特性があるので、フィラメント或いは点灯回路部品の発熱に伴うアマルガムの温度上昇を抑えることが要求される。
【０００３】
特許文献１では、アマルガムと発光管との間に回路基板を介在させ、発光管からの輻射熱がアマルガムに伝わりにくくしている。
【０００４】
また、特許文献２では、細管を口金近傍まで延ばすことで、発光管とアマルガムとが離間されている。
【０００５】
また、特許文献３では、外囲器（カバー）内を仕切り板で第１の空間と第２の空間に隔て、第１の空間に点灯手段を収納し、第２の空間に発光管を収納し、細管を第１の空間に所定の長さで延在させている。
【０００６】
また、特許文献４では、安定器とカバーとを接着剤等により熱的に導通させて接続し、接着剤を介して安定器の熱を放熱している。
【０００７】
【特許文献１】特開２００４−２３４９３４号公報
【特許文献２】特開平７−８５７０９号公報
【特許文献３】実開昭６１−６３７５９号公報
【特許文献４】特開平７−６５６１３号公報
【発明の開示】
【発明が解決しようとする課題】
【０００８】
上記特許文献１〜４では、いずれも点灯回路部品とアマルガムが収納された細管とが同一空間に配置されているため、点灯回路部品の発熱によって細管が収容されている空間内の温度が上昇してしまう。点灯回路部品の発熱に伴うアマルガムの温度上昇を十分に抑えることができず、発光管内の水銀蒸気圧が上昇してしまい、蛍光ランプの明るさが低下するという問題がある。
【０００９】
本発明は、上記事項に鑑みてなされたものであり、点灯回路部品の発熱に伴うアマルガムの温度上昇を抑制できる蛍光ランプを提供することを目的とする。
【課題を解決するための手段】
【００１０】
本発明に係る蛍光ランプは、
発光管と、
前記発光管から突出して配置され、前記発光管内に水銀蒸気を供給するアマルガムが収納された前記発光管よりも細い細管と、
回路基板に実装された点灯回路部品と、
前記点灯回路部品及び前記細管が収容され、口金が固定されたカバーと、
前記カバー内に配置され、前記点灯回路部品から発生する熱を遮断する包囲部と、を備え、
前記包囲部内に前記細管が配置されている、ことを特徴とする。
【発明の効果】
【００１１】
本発明の蛍光ランプによれば、アマルガムが収納された細管は、カバーと包囲部に囲われた空間に配置、即ち点灯回路部品とは異なる空間に配置されている。このため、点灯回路部品から発生する熱がアマルガムに伝わることを効果的に抑制できるので、発光管内の水銀蒸気圧の上昇が抑えられ、蛍光ランプの明るさの低下を抑えることができる。
【発明を実施するための最良の形態】
【００１２】
以下、図を参照して、実施の形態に係る蛍光ランプ１について説明する。蛍光ランプ１は、図１に示すように、グローブ１１、カバー１６、口金２３で囲われた内部に発光管１３、包囲部１８、細管１９、アマルガム２０、基板２１、点灯回路部品２２を備えている。
【００１３】
グローブ１１は内部が空洞の略球状体で一部が開口しており、この開口部が接着剤１５等でカバー１６に固定されている。グローブ１１は発光管１３を保護するとともに、発光管１３からの発光を均一化する機能を有する。このため、グローブ１１は内面に拡散膜１２が施された透光性のガラスや樹脂等の素材から構成されている。
【００１４】
カバー１６は、内部が空洞で両端が開口した略円錐状であり、広い開口部には前述のグローブ１１が固定され、狭い開口部に口金２３が固定されている。そして、カバー１６内には、細管１９、基板２１、点灯回路部品２２等が収容されている。カバー１６は熱で変形しないよう、ＰＢＴ（ポリブチレンテレフタレート）等の耐熱性を有する樹脂から構成されている。
【００１５】
カバー１６の開口部に固定された口金２３の外周には、１本の溝が螺旋状に形成されており、ソケットと着脱自在に接続する。口金２３は不図示の配線によって点灯回路部品２２と接続しており、口金２３を介して点灯回路部品２２に電流が送られる。
【００１６】
基板２１は、カバー１６内に取り付けられており、基板２１には点灯回路部品２２が実装されている。点灯回路部品２２は、口金２３を介して送られてきた電流をその発光管１３に適した値にする役割と、発光管１３が点灯する際に始動電圧を与え、電極にその発光管１３に適した予熱電圧を供給する役割を持つ。基板２１は、包囲部１８の上面（包囲部１８の発光管１３側の面）と一平面を構成し、接触する縁が包囲部１８に対応する形状に形成されている。
【００１７】
発光管１３は、１本の螺旋状の管であり、両端がカバー１６に設置されたホルダー１４に取り付けられている。発光管１３の両端には、不図示の電極が取り付けられている。各電極は、基板２１に接続されている。発光管１３の内面には、蛍光体が塗布され、内部には水銀蒸気が封入されている。発光管１３の両端部には、不図示のフィラメントが設置されており、点灯回路部品２２を介してフィラメントに電圧が印加される。これにより発光管１３内の水銀蒸気（水銀イオン）が電子を放出し、この際に放出するエネルギーが紫外線として照射される。この紫外線が蛍光体によって可視光線に変換される。
【００１８】
発光管１３の一方の端部には、細管１９の一方の端部が封着されている。細管１９の他方の端部は、発光管１３から突出し、口金２３近傍まで延在している。細管１９はガラス等から構成された発光管１３よりも細い管である。細管１９は、内部が中空で、口金２３側に突出している先端が封止されており、先端の中空部分にアマルガム２０が収納されている。
【００１９】
細管１９内部に収納されたアマルガム２０は、発光管１３内部に水銀イオンを供給する。アマルガム２０は、液相と固相が共存する温度領域であれば、水銀蒸気圧がほぼ一定に保たれるという特性を有しており、このアマルガム２０の特性によって発光管１３内部の水銀蒸気圧を一定に保っている。アマルガム２０として、水銀と銀錫との合金、或いは水銀とビスマス等との合金等が好適に利用できる。
【００２０】
包囲部１８は、図２〜図４に示すように、包囲部１８は内部が空洞であり、包囲部１８の縁がカバー１６内面に固定されている。このようにして、包囲部１８とカバー１６とで囲まれた空間が形成されている。なお、図２は包囲部１８が固定されたカバー１６の斜視図、図３はその平面図であり、図４は図２のＸ−Ｘ’断面を示している。
【００２１】
包囲部１８は、発光管１３端部近傍から、口金２３近傍まで延在している。包囲部１８の上部（発光管１３側に位置する箇所）には、円形の挿通孔１７が形成されており、細管１９が挿通孔１７から挿入され、包囲部１８とカバー１６とで囲われて形成された空間に配置されている。
【００２２】
図５の平面図に、点灯回路部品２２が実装された基板２１がカバー１６に配置された状態を示し、また、図６に図５に示すＹ−Ｙ’断面図を示しているが、断熱性を有する包囲部１８によって、アマルガム２０が収納されている細管１９と点灯回路部品２２とが異なる空間に配置されているので、点灯回路部品２２から発生する熱が包囲部１８により遮断される。点灯回路部品２２からの熱は、包囲部１８とカバー１６で形成された空間に伝わりにくいため、細管１９に収納されたアマルガム２０の温度上昇が効果的に抑えられる。アマルガム２０は固相と液相が共存した状態を維持するので、発光管１３内の水銀蒸気圧が一定に保たれ、発光管１３の明るさの低下が抑えられる。
【００２３】
包囲部１８は、上述のように点灯回路部品２２から発生する熱がアマルガム２０に伝わりにくくする役割を有するゆえ、断熱性樹脂等の断熱性材料から形成される。断熱性が高い材料を用いるほどアマルガム２０に熱が伝わりにくくなるので好適である。包囲部１６の材料として、ポリエチレンやポリプロピレン等の樹脂のほか、カバーの材料として用いられるＰＢＴを用いてもよい。
【００２４】
また、包囲部１８は接着剤等でカバー１６に密着して固定されているとよい。包囲部１８とカバー１６で形成された空間の気密性が高くなるので、点灯回路部品２２から発生する熱を効果的に遮断することができる。
【００２５】
挿通孔１７は細管１９の形状とほぼ同一の形状に形成されていることが好ましい。挿通孔１７と細管１９との隙間が小さければ、包囲部１８とカバー１６で形成された空間の気密性が高くなるので、点灯回路部品２２から発生する熱を効果的に遮断することができる。
【００２６】
更に、細管１９は発光管１３とも異なる空間に存在しているので、発光管１３に設置されたフィラメントから発生する熱からも遮断される。また、細管１９は、口金２３まで延在させるとよい。発光管１３に設けられたフィラメントから離間させることで、フィラメントの熱からアマルガム２０の温度上昇を抑えることができる。また、挿通孔１７は、発光管１３端部から口金２３を結ぶ直線上に位置するとよい。細管１９を屈曲させる必要がなく、直線状の細管１９を用いることができるので、細管１９の成形が容易であり、蛍光ランプ１を組み立てる際にも、容易に細管１９を挿通孔１７に挿入することができる。
【００２７】
以上、本発明の実施の形態を説明したが、本発明は上記実施の形態に限定されず、種々の変形及び応用が可能である。
【００２８】
例えば、上記実施の形態では、カバー１６に包囲部１８を接着剤等で固定した例について説明したが、包囲部１８が一体的に形成されたカバー１６を用いてもよい。
【００２９】
また、挿通孔１７の位置は、細管１９の位置に合わせて適宜変更して設ければよい。直線状の細管１９のほか、屈曲した細管１９を用いてもよい。
【００３０】
点灯回路部品２２は、図７に示すように、基板２１の下方（口金２３側）に実装されていてもよい。
【００３１】
図８に示すように、挿通孔１７と細管１９との間に断熱性部材２４を介在させ、挿通孔１７と細管１９との隙間を埋めた形態であってもよい。挿通孔１７と細管１９との隙間が無く気密性が保たれるので、点灯回路部品２２から発生する熱は細管１９が収容されている空間に伝わりにくい。これにより、点灯回路部品２２の発熱によるアマルガム２０の温度上昇がより効果的に抑えられる。断熱性部材２４として、細管１９と包囲部１８との隙間に適合する形状の部材を用いるほか、挿通孔１７に細管１９を挿入した後に充填される充填剤でもよい。
【００３２】
包囲部１８の形状は点灯回路部品からの発熱を遮断できる構造であれば、どのような形状でもよい。例えば、図９に示すように、半球状に形成されたものでもよい。また、細管１９が収容される空間の大きさも任意の大きさでよい。
【００３３】
包囲部１８はカバー１６に固定されていなくてもよい。例えば、図１０に示すように、包囲部１８として、細管１９を収納可能な筒状体等を用いることもできる。基板２１に包囲部１８を通し得る穴が設けられ、この穴に一端が開口した筒状の包囲部１８が配置され、包囲部１８の開口部から細管１９が挿入された構造である。また、包囲部１８と細管１９との隙間に断熱性部材２４が配置されている。点灯回路部品２２から発生する熱は包囲部１８によって遮断されるので、アマルガム２０の温度上昇が抑えられる。
【００３４】
また、発光管１３は、図１に示す螺旋状の他、Ｕ字型、Ｗ字型、鞍形等、種々の発光管に適用できる。
【００３５】
また、グローブ１１が装着されていない形態、すなわちグローブレスの蛍光ランプでもよい。
【００３６】
また、Ｅ型口金の蛍光ランプに限らず、例えばＧＸ５３口金の蛍光ランプにも適用可能である。
【図面の簡単な説明】
【００３７】
【図１】本発明の実施形態に係る蛍光ランプの概略構成を示す部分断面図である。
【図２】本発明の実施形態に係る蛍光ランプの包囲部が設置されたカバーの斜視図である。
【図３】本発明の実施形態に係る蛍光ランプの包囲部が設置されたカバーの平面図である。
【図４】本発明の実施形態に係る蛍光ランプの包囲部が設置されたカバーの断面図である。
【図５】本発明の実施形態に係る蛍光ランプの包囲部、基板、及び細管が設置されたカバーの平面図である。
【図６】本発明の実施形態に係る蛍光ランプの包囲部、基板、及び細管が設置されたカバーの断面図である。
【図７】本発明の他の実施形態に係る蛍光ランプのカバー部分の断面図である。
【図８】本発明の他の実施形態に係る蛍光ランプのカバー部分の断面図である。
【図９】本発明の他の実施形態に係る蛍光ランプのカバー部分の平面図である。
【図１０】本発明の他の実施形態に係る蛍光ランプのカバー部分の断面図である。
【符号の説明】
【００３８】
１    蛍光ランプ
１１    グローブ
１２    拡散膜
１３    発光管
１４    ホルダー
１５    接着剤
１６    カバー
１７    挿通孔
１８    包囲部
１９    細管
２０    アマルガム
２１    基板
２２    点灯回路部品
２３    口金
２４    断熱性部材
【図１】
2010103024.tif 000003
【図２】
2010103024.tif 000004
【図３】
2010103024.tif 000005
【図４】
2010103024.tif 000006
【図５】
2010103024.tif 000007
【図６】
2010103024.tif 000008
【図７】
2010103024.tif 000009
【図８】
2010103024.tif 000010
【図９】
2010103024.tif 000011
【図１０】
2010103024.tif 000012